(57)【要約】      （修正有）【課題】軽量気泡コンクリートパネルの内部全体に、緊張力を持った三次元的な繊維補強構造体を組込む製造方法を提供する。【解決の手段】繊維巻回装置及び巻回繊維間隔調整装置で、緊張力を持った繊維Ｃを等間隔で横方向及び縦方向に立体的に配列された繊維巻回形枠Ａができる。この繊維巻回形枠と繊維を巻回してない形枠を交互に重積し、成形用空間を作る。この成形用空間内に、軽量気泡コンクリート混合材を充填し、養生後、形枠を離型し、軽量気泡コンクリートパネルが完成する。完成した軽量気泡コンクリートパネルは、パネル内全体に三次元的な繊維補強構造体を有している。よって、この製造方法で、軽量気泡コンクリートパネルの強度的な欠点が解消できる。【選択図】図１
0003139805.tif 000002
【実用新案登録請求の範囲】
【請求項１】
軽量気泡コンクリートパネルの構造体全体に、三次元的繊維補強構造体を組入れる繊維補強構造体の製造方法の繊維巻回形枠に、設定間隔で長繊維を横方向及び縦方向に巻回させる長繊維巻回装置。
【請求項２】
繊維巻回形枠に巻回させる長繊維に、引張力を維持させながら巻回間隔を調整する巻回繊維間隔調整装置。
【考案の詳細な説明】
【技術分野】
【０００１】  この考案は、セメント・生石灰・珪石とアルミニュウム粉等の発泡剤混合物を高温・高圧の蒸気下で養生して製作する軽量気泡コンクリートパネルの内部に、三次元的繊維補強構造体を組込む製造方法に関する。
【背景技術】
【０００２】  軽量気泡コンクリートパネルは、十分な強度を有していないので、内部に鉄材のネットまたは鉄筋等が補強材として組込まれている。【０００３】  鉄材は重い上に錆びるので、補強材としての混入量には、単位重量の関係から限界が有る。【０００４】  鉄材の錆び止めに特殊レジンのコーティングを施しているが、内部の鉄材には錆が発生する。【０００５】  軽量気泡コンクリートパネルに鉄材の補強材を組入れて強度不足を補強する従来技術では、角欠けや折損の欠点を解決できず、衝撃強度不足は解消されていない。【０００６】  軽量気泡コンクリートパネル施工時、強度不足から角欠けや小口の破損等が発生しやすく、補修作業等のため作業負荷が大きい。
【特許文献】特開昭５９−１０４９１０号公報
【考案の開示】
【考案が解決使用とする課題】
【０００７】  然るに、軽量気泡コンクリートパネルの補強材に鉄材を用いる従来の技術では、単位重量より混入量に制限が有り、耐強度的な解決には至っていない。
【０００８】  また、鉄材の錆による膨張で表面にクラックが発生するので、表面補修等のメインテナンスが欠かせない。
【課題を解決するため手段】
【０００９】  この考案による、長繊維巻回装置と巻回繊維間隔調整装置は、前述の従来の軽量気泡コンクリートパネルの問題点を解決する全く新たらしい技術に関するものであるである。この考案で、三次元的繊維補強構造体を組込む製造方法が可能となり、従来技術が有する欠点を解消した軽量気泡コンクリートパネルが実現できる。
【００１０】  この考案は、化学繊維を長繊維で設定の間隔で緊張力持たせた状態で形枠に巻回する、長繊維巻回装置と巻回繊維間隔調整装置の機構と製造方法に係るものである。
【００１１】  この考案は、長繊維で設定の間隔で緊張力を持たせた状態の三次元的繊維補強構造体を、軽量気泡コンクリートの内部全体に組込み、上記課題を解決するものである。
【考案の効果】
【００１２】  軽量気泡コンクリートパネルの内部に組込む繊維補強構造体の繊維によるひび割れ発生防止強度の向上は、配列された繊維の間隔が狭いほど大きく、且つ、繊維は、長繊維で緊張力を持った状態で配列されることが、補強体としての効果は大きい。
【００１３】  このため、この考案による三次元的繊維補強構造体が内部全体に組込まれた軽量気泡コンクリートパネルは、プレロードを持っており、地震等の揺れによる外部応力、風等の繰返し応力等に対応することができる。
【００１４】  この考案による三次元的繊維補強構造体が内部全体に組込まれた軽量気泡コンクリートパネルは、太陽熱による熱膨張収縮クラックが発生しにくい。よって、クラックが原因の耐脆性破壊強度面の落下事故が防げる。
【００１５】  また、この考案による三次元的繊維補強構造体が内部全体に組込まれた軽量気泡コンクリートパネルは、施工時の角欠け・破損等を軽減できる。
【考案を実施するための最良の形態】
【００１６】  図１は長繊維横巻回装置イの全体斜視図である。駆動側形枠保持柱２と形枠保持柱３で繊維巻回形枠Ａを横長方向に保持する。繊維巻回形枠Ａは無段減速モーター４で反時計周りに設定速度で回動する。繊維巻回形枠Ａに設定の間隔で繊維Ｃを巻回させるため、繊維台８は無段減速ラックモーター１４でラック６部を移動する。
繊維台８は、無段変速ラックモーター１４で移動速度が調整できるので、巻回する繊維Ｃの間隔が調整できる。
横巻終了後、図２の長繊維縦巻回装置ロで繊維巻回形枠Ａを縦長方向に保持し、繊維巻回形枠Ａを回動して繊維Ｃを巻回する。【００１７】  結果、繊維巻回形枠Ａには横方向と縦方向に繊維Ｃが、等間隔で繊維巻回形枠Ａの上下に立体的に巻回配列させることができる。【００１８】  且つ、繊維巻回形枠Ａの端部に繊維Ｃを固定させ巻回配列するとき、繊維台８のシーブ車１５の加圧軸受１６に加圧摩擦抵抗を与える。結果、シーブ車は一定の張力を持った糸で引っ張られることで回転するので、回動する繊維巻回形枠Ａに巻回される長繊維Ｃは、緊張力を持った状態で巻回配列される。
【実施例１】
【００１９】  繊維を巻き付ける型枠Ａは、回動するので繊維が巻かれるときは常に引張力が発生するが、この引張力は繊維の供給ヤーンが自由のため弱いものであった。そこで、シーブ車加圧軸１６に加圧摩擦抵抗を与えて、繊維Ｃを引っ張ってシーブ車１５を回転させながら形枠に繊維Ｃを巻回させた。【００２０】  結果、繊維Ｃは、加圧摩擦抵抗力に比例して弦の如く緊張力を持った状態で巻回配列された。加圧摩擦抵抗力はブレーキバンド式で行い、繊維Ｃの緊張力をバネ計量で測定した。繊維Ｃは、０乃至３０キログラムの緊張力が得られた。
【産業上の利用可能性】
【００２１】  軽量気泡コンクリートパネルは、建築材料として建物に多用されている。軽量気泡コンクリートパネルの最大の欠点は、強度が弱いことである。強度不足の解決は内部に補強材を組入れることで図られてきた。この補強材が鉄材のため、重い・錆びる・磁気化等で混入量に限界があった。
このため、強度不足が解消されず耐久性の問題が解消されていない。
この考案の長繊維巻回装置イ及び巻回繊維間隔調整装置ロで、三次元的な繊維補強構造体が軽量気泡コンクリートパネルの内部全体に組入れることが可能となった。よって、従来の軽量気泡コンクリートパネルをより強く耐久性を持たせることが可能となった。
【図面の簡単な説明】
【００２２】
【図１】  長繊維横巻回装置全体斜視図
【図２】  長繊維縦巻回装置全体斜視図
【図３】  巻回繊維間隔調整装置全体斜視図
【符号の説明】
【００２３】    イ  長繊維横巻回装置
ロ  長繊維縦巻回装置
１  長繊維巻回装置支持台
２  駆動側形枠保持支柱
３  形枠保持支柱
４  無段減速形枠駆動モーター
５  ラック溝
６  ラック
７  アイドル車溝
８  巻回繊維間隔調整装置支持台
９  シーブ車支柱
１０  シーブ車ブラケット
１１  ヤーンスタンド
１２  繊維縦ガイドローラー
１３  繊維横ガイドローラー
１４  無段減速ラックモーター
１５  シーブ車
１６  加圧軸受
Ａ  繊維巻回形枠
Ｂ  ヤーン
Ｃ  繊維
【図１】
0003139805.tif 000003
【図２】
0003139805.tif 000004
【図３】
0003139805.tif 000005
【手続補正書】
【提出日】平成19年11月12日(2007.11.12)
【手続補正１】
【補正対象書類名】実用新案登録請求の範囲
【補正対象項目名】全文
【補正方法】変更
【補正の内容】
【実用新案登録請求の範囲】
【請求項１】
軽量気泡コンクリートパネルの内部全体に、三次元的繊維補強構造体を組入れる方法において使用する繊維巻回型枠を保持する保持支柱部の回動機構で回動させ、長繊維を繊維巻回型枠に巻回させることを特徴とする長繊維巻回装置。
【請求項２】
繊維巻回型枠に巻回される長繊維は、ブレーキ装置を備えたシーブ車により緊張力を得て、シーブ車のスライド移行速度調整により任意の巻回間隔を調整する巻回繊維間隔調整装置を備えたことを特徴とする請求項１記載の長繊維巻回装置。